【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  作業用メモリとしての揮発性メモリとデータ記憶用で少なくとも２つの同じ固有番号が別々の領域に記憶されている不揮発性メモリとを有する携帯可能電子媒体において、
上記不揮発性メモリの検査時、上記不揮発性メモリから一方の固有番号を読出す第１の読出し手段と、
この第１の読出し手段により読出した一方の固有番号を上記揮発性メモリに記憶する記憶手段と、
上記不揮発性メモリから他方の固有番号を読出す第２の読出し手段と、
この第２の読出し手段により読出した他方の固有番号と上記揮発性メモリに記憶した一方の固有番号とが一致するか否かにより、上記不揮発性メモリが正常か否かを判断する判断手段と、
上記第１の読出し手段と上記第２の読出し手段と上記判断手段とを有するＩＣモジュールを埋設するＩＣカード本体と、
を具備したことを特徴とする携帯可能電子装置。
【請求項２】  作業用メモリとしての揮発性メモリとデータ記憶用で少なくとも２つの同じ固有番号が別々の領域に記憶されている不揮発性メモリとを有する携帯可能電子媒体において、
上記不揮発性メモリの検査時、上記不揮発性メモリから一方の固有番号を読出す第１の読出し手段と、
この第１の読出し手段により読出した一方の固有番号を上記揮発性メモリに記憶する記憶手段と、
上記不揮発性メモリから他方の固有番号を読出す第２の読出し手段と、
この第２の読出し手段により読出した他方の固有番号と上記揮発性メモリに記憶した一方の固有番号とが一致するか否かにより、上記不揮発性メモリが正常か否かを判断する判断手段と、
この判断手段により上記不揮発性メモリの異常を判断した際、上記不揮発性メモリの少なくとも２つの固有番号を出力する出力手段と、
上記第１の読出し手段と上記記憶手段と上記第２の読出し手段と上記判断手段と上記出力手段を有するＩＣモジュールを埋設するＩＣカード本体と、
を具備したことを特徴とする携帯可能電子装置。
【請求項３】  作業用メモリとしての揮発性メモリとデータ記憶用で固有番号とこの固有番号の排他的論理和とが別々の領域に記憶されている不揮発性メモリとを有する携帯可能電子媒体において、
上記不揮発性メモリの検査時、上記不揮発性メモリから固有番号あるいは固有番号の排他的論理和を読出す第１の読出し手段と、
この第１の読出し手段により読出した固有番号あるいは固有番号の排他的論理和を上記揮発性メモリに記憶する記憶手段と、
上記不揮発性メモリから固有番号の排他的論理和あるいは固有番号を読出す第２の読出し手段と、
この第２の読出し手段により読出した固有番号の排他的論理和あるいは固有番号と上記揮発性メモリに記憶した固有番号あるいは固有番号の排他的論理和とにより固有番号の正当性をチェックすることにより、上記不揮発性メモリが正常か否かを判断する判断手段と、
上記第１の読出し手段と上記記憶手段と上記第２の読出し手段と上記判断手段とを有するＩＣモジュールを埋設するＩＣカード本体と、
を具備したことを特徴とする携帯可能電子装置。
【請求項４】  作業用メモリとしての揮発性メモリとデータ記憶用で固有番号とこの固有番号の排他的論理和とが別々の領域に記憶されている不揮発性メモリとを有する携帯可能電子媒体において、
上記不揮発性メモリの検査時、上記不揮発性メモリから固有番号あるいは固有番号の排他的論理和を読出す第１の読出し手段と、
この第１の読出し手段により読出した固有番号あるいは固有番号の排他的論理和を上記揮発性メモリに記憶する記憶手段と、
上記不揮発性メモリから固有番号の排他的論理和あるいは固有番号を読出す第２の読出し手段と、
この第２の読出し手段により読出した固有番号の排他的論理和あるいは固有番号と上記揮発性メモリに記憶した固有番号あるいは固有番号の排他的論理和とにより固有番号の正当性をチェックすることにより、上記不揮発性メモリが正常か否かを判断する判断手段と、
この判断手段により上記不揮発性メモリの異常を判断した際、上記不揮発性メモリの固有番号と固有番号の排他的論理和とを出力する出力手段と、
上記第１の読出し手段と上記記憶手段と上記第２の読出し手段と上記判断手段と上記出力手段とを有するＩＣモジュールを埋設するＩＣカード本体と、
を具備したことを特徴とする携帯可能電子装置。
【手続補正２】
【補正対象書類名】明細書
【補正対象項目名】０００６
【補正方法】変更
【補正の内容】
【０００６】
【課題を解決するための手段】
この発明の携帯可能電子装置は、作業用メモリとしての揮発性メモリとデータ記憶用で少なくとも２つの同じ固有番号が別々の領域に記憶されている不揮発性メモリとを有するものにおいて、上記不揮発性メモリの検査時、上記不揮発性メモリから一方の固有番号を読出す第１の読出し手段と、この第１の読出し手段により読出した一方の固有番号を上記揮発性メモリに記憶する記憶手段と、上記不揮発性メモリから他方の固有番号を読出す第２の読出し手段と、この第２の読出し手段により読出した他方の固有番号と上記揮発性メモリに記憶した一方の固有番号とが一致するか否かにより、上記不揮発性メモリが正常か否かを判断する判断手段と、上記第１の読出し手段と上記第２の読出し手段と上記判断手段とを有するＩＣモジュールを埋設するＩＣカード本体とを有するようになっている。
【手続補正３】
【補正対象書類名】明細書
【補正対象項目名】０００７
【補正方法】変更
【補正の内容】
【０００７】
この発明の携帯可能電子装置は、作業用メモリとしての揮発性メモリとデータ記憶用で少なくとも２つの同じ固有番号が別々の領域に記憶されている不揮発性メモリとを有するものにおいて、上記不揮発性メモリの検査時、上記不揮発性メモリから一方の固有番号を読出す第１の読出し手段と、この第１の読出し手段により読出した一方の固有番号を上記揮発性メモリに記憶する記憶手段と、上記不揮発性メモリから他方の固有番号を読出す第２の読出し手段と、この第２の読出し手段により読出した他方の固有番号と上記揮発性メモリに記憶した一方の固有番号とが一致するか否かにより、上記不揮発性メモリが正常か否かを判断する判断手段と、この判断手段により上記不揮発性メモリの異常を判断した際、上記不揮発性メモリの少なくとも２つの固有番号を出力する出力手段と、上記第１の読出し手段と上記記憶手段と上記第２の読出し手段と上記判断手段と上記出力手段を有するＩＣモジュールを埋設するＩＣカード本体とを有するようになっている。
この発明の携帯可能電子装置は、作業用メモリとしての揮発性メモリとデータ記憶用で固有番号とこの固有番号の排他的論理和とが別々の領域に記憶されている不揮発性メモリとを有するものにおいて、上記不揮発性メモリの検査時、上記不揮発性メモリから固有番号あるいは固有番号の排他的論理和を読出す第１の読出し手段と、この第１の読出し手段により読出した固有番号あるいは固有番号の排他的論理和を上記揮発性メモリに記憶する記憶手段と、上記不揮発性メモリから固有番号の排他的論理和あるいは固有番号を読出す第２の読出し手段と、この第２の読出し手段により読出した固有番号の排他的論理和あるいは固有番号と上記揮発性メモリに記憶した固有番号あるいは固有番号の排他的論理和とにより固有番号の正当性をチェックすることにより、上記不揮発性メモリが正常か否かを判断する判断手段と、上記第１の読出し手段と上記記憶手段と上記第２の読出し手段と上記判断手段とを有するＩＣモジュールを埋設するＩＣカード本体とを有するようになっている。
この発明の携帯可能電子装置は、作業用メモリとしての揮発性メモリとデータ記憶用で固有番号とこの固有番号の排他的論理和とが別々の領域に記憶されている不揮発性メモリとを有するものにおいて、上記不揮発性メモリの検査時、上記不揮発性メモリから固有番号あるいは固有番号の排他的論理和を読出す第１の読出し手段と、この第１の読出し手段により読出した固有番号あるいは固有番号の排他的論理和を上記揮発性メモリに記憶する記憶手段と、上記不揮発性メモリから固有番号の排他的論理和あるいは固有番号を読出す第２の読出し手段と、この第２の読出し手段により読出した固有番号の排他的論理和あるいは固有番号と上記揮発性メモリに記憶した固有番号あるいは固有番号の排他的論理和とにより固有番号の正当性をチェックすることにより、上記不揮発性メモリが正常か否かを判断する判断手段と、この判断手段により上記不揮発性メモリの異常を判断した際、上記不揮発性メモリの固有番号と固有番号の排他的論理和とを出力する出力手段と、上記第１の読出し手段と上記記憶手段と上記第２の読出し手段と上記判断手段と上記出力手段とを有するＩＣモジュールを埋設するＩＣカード本体とを有するようになっている。